(57)【要約】【課題】不要な光の漏れを無くして品質を向上させる。【解決手段】発光装置は、光源と、前記光源が発する光を入射する入射面と当該入射面に入射した光を出射する出射面とを有する複数の導光路を、一体的に形成した導光部材と、前記導光路毎の入射面側に設けられ、前記入射面に入射させる光の特性を前記入射面毎に異なる特性に制限する入射側制限部と、前記導光路毎の出射面側に設けられ、前記出射面から出射させる光の特性を、前記導光路を共有する前記入射面に入射する光の特性に制限する出射側制限部とを備える。【選択図】図３
2015225769.tif 000002
【特許請求の範囲】
【請求項１】
光源と、
前記光源が発する光を入射する入射面と当該入射面に入射した光を出射する出射面とを有する複数の導光路を、一体的に形成した導光部材と、
前記導光路毎の入射面側に設けられ、前記入射面に入射させる光の特性を前記入射面毎に異なる特性に制限する入射側制限部と、
前記導光路毎の出射面側に設けられ、前記出射面から出射させる光の特性を、前記導光路を共有する前記入射面に入射する光の特性に制限する出射側制限部と、
を備えることを特徴とする発光装置。
【請求項２】
前記光の特性とは、偏光であることを特徴とする請求項１に記載の発光装置。
【請求項３】
一つの前記入射面側に設けられた前記入射側制限部と、当該入射面と前記導光路を共有する前記出射面側に設けられた前記出射側制限部とは、通過させる光の偏光を共通の偏光に制限する偏光フィルタであることを特徴とする請求項２に記載の発光装置。
【請求項４】
前記入射面毎の入射側制限部は、前記入射面毎に設けられた前記光源であって互いに偏光状態が異なる光を発する複数の光源を少なくとも含むことを特徴とする請求項２または請求項３に記載の発光装置。
【請求項５】
前記光の特性とは、波長であることを特徴とする請求項１に記載の発光装置。
【請求項６】
一つの前記入射面側に設けられた前記入射側制限部と、当該入射面と前記導光路を共有する前記出射面側に設けられた前記出射側制限部とは、通過させる光の波長を共通の波長に制限する波長フィルタであることを特徴とする請求項５に記載の発光装置。
【請求項７】
前記入射面毎の入射側制限部は、前記入射面毎に設けられた前記光源であって互いに波長が異なる光を発する複数の光源を少なくとも含むことを特徴とする請求項５または請求項６に記載の発光装置。
【請求項８】
光源と、
前記光源が発する光を入射する入射面を共有しつつ光を出射するための出射面を夫々有する複数の導光路を、一体的に形成した導光部材と、
前記導光路の入射面側に設けられ、前記入射面に入射させる光の特性を変更可能な入射光可変部と、
前記導光路毎の出射面側に設けられ、前記出射面から出射させる光の特性を、前記入射光可変部が変更可能ないずれかの特性であって前記出射面毎に異なる特性に制限する出射側制限部と、
を備えることを特徴とする発光装置。
【請求項９】
前記光の特性とは、偏光であることを特徴とする請求項８に記載の発光装置。
【請求項１０】
前記光の特性とは、波長であることを特徴とする請求項８に記載の発光装置。
【発明の詳細な説明】
【技術分野】
【０００１】
本発明は、発光装置に関する。
【背景技術】
【０００２】
電子機器には、点灯や点滅等によって機器の状態をユーザに認知させるためのインジケータ（indicator）等と呼ばれる発光部が設けられている。このような発光部は、電子機器の筐体表面の複数個所に設けられ、それぞれが状態を点灯や点滅や消灯に切り替えることで機器の状態をユーザに認知させる。なお、発光部は、ＬＥＤ等の光源が電子機器の筐体表面に直接露出した状態で構成されるのではなく、電子機器内部に配設された光源が発する光を筐体表面の所定個所にまで導く導光部材の一端が当該所定個所臨んだ状態で構成されることがある。
【０００３】
また、直線偏光のレーザ光を出射するレーザ発生器と、レーザ発生器からのレーザ光が照射される蛍光体と、レーザ発生器から出射したレーザ光の通過領域に配置される光学部材とを備え、光学部材はレーザ光入射面およびレーザ光出射面を有する導光部材を含み、導光部材のレーザ光入射面およびレーザ光出射面の少なくとも一方に反射型偏光フィルタを形成した発光装置が知られている（特許文献１参照）。
また、一端側を収束し他端側を２つに分岐させるとともに被照明体を挟んで対向した２本の導光体であって、夫々の導光体の長手方向に沿った外側の側面に光反射手段あるいは光拡散手段を形成し内側の側面を光出射面とした２本の導光体と、２本の導光体の収束した一端側の端面に臨ませて配置した１個の発光ダイオードと、各導光体の前記一端側又は前記光反射手段あるいは光拡散手段の箇所より発光ダイオード側に配置された、蛍光体又は燐光体を分散してなるフィルタとを備え、各導光体のフィルタは、発光ダイオードの光を受けた時に互いに異なる波長の光を発する蛍光体又は燐光体を分散させたものである照明装置が知られている（特許文献２参照）。
【先行技術文献】
【特許文献】
【０００４】
【特許文献１】特開２０１１‐２４９５３８号公報
【特許文献２】特許第４６８８７１７号
【発明の概要】
【発明が解決しようとする課題】
【０００５】
上述したように複数の発光部が電子機器の筐体表面に設けられている場合、ある発光部で発する光が、導光部材を介して別の発光部へ漏れてしまうという課題があった。このような光の漏れがあると、例えば、本来消灯しているべき発光部が若干光って見えたり、ある発光部が本来の発光色とは異なる色で光って見えたりする。なお前記文献はいずれも、このような複数の発光部が存在する場合の光の漏れを解消するものではなかった。
【０００６】
本発明は少なくとも上述の課題を解決するためになされたものであり、不要な光の漏れを無くす発光装置を提供する。
【課題を解決するための手段】
【０００７】
本発明の態様の一つは、発光装置は、光源と、前記光源が発する光を入射する入射面と当該入射面に入射した光を出射する出射面とを有する複数の導光路を、一体的に形成した導光部材と、前記導光路毎の入射面側に設けられ、前記入射面に入射させる光の特性を前記入射面毎に異なる特性に制限する入射側制限部と、前記導光路毎の出射面側に設けられ、前記出射面から出射させる光の特性を、前記導光路を共有する前記入射面に入射する光の特性に制限する出射側制限部と、を備える。
【０００８】
本態様によれば、ある導光路の入射面には、当該入射面に対応して設けられた入射側制限部を介して、制限された特性の光だけが入射し、かつ、当該入射面と導光路を共有する出射面からは、当該出射面に対応して設けられた出射側制限部を介して、特性が当該入射面に入射した光と同じ特性に制限された光だけが出射する。従って、前記のように複数の導光路が一体的に形成された状況において、ある出射面（ユーザに発光部（インジケータ）の一つとして視認される部位）から出射すべき光が他の出射面からも出射されること（上述した光の漏れ）が、確実に防止される。
【０００９】
また、本発明の態様の一つは、発光装置は、光源と、前記光源が発する光を入射する入射面を共有しつつ光を出射するための出射面を夫々有する複数の導光路を、一体的に形成した導光部材と、前記導光路の入射面側に設けられ、前記入射面に入射させる光の特性を変更可能な入射光可変部と、前記導光路毎の出射面側に設けられ、前記出射面から出射させる光の特性を、前記入射光可変部が変更可能ないずれかの特性であって前記出射面毎に異なる特性に制限する出射側制限部と、を備える。
【００１０】
本態様によれば、複数の導光路が共有する入射面には、入射面に入射させる光の特性を変更可能な入射光可変部によって特性が制限された光が入射し、かつ、導光路毎の出射面からは、当該出射面に対応して設けられた出射側制限部を介して、特性が入射光可変部が変更可能ないずれかの特性であって出射面毎に異なる特性に制限された光だけが出射する。従って、前記のように複数の導光路が一体的に形成された状況において、ある出射面から出射すべき光が他の出射面からも出射されること（上述した光の漏れ）が、確実に防止される。
【００１１】
本発明の技術的思想は、発光装置録以外の態様によって実現されてもよい。例えば、発光装置が実現する処理を方法の発明として捉えることができる。また、発光装置を一部に含む電子機器を一つの発明として捉えることができる。
【図面の簡単な説明】
【００１２】
【図１】発光装置を含む電子機器の一部を例示する斜視図。
【図２】第１実施例の導光部材を示す斜視図。
【図３】第１実施例の発光装置を示す斜視図。
【図４】第２実施例の発光装置を示す斜視図。
【図５】第３実施例の発光装置を示す斜視図。
【図６】第４実施例の発光装置を示す斜視図。
【図７】第５実施例の発光装置を示す斜視図。
【図８】第６実施例の発光装置を示す斜視図。
【発明を実施するための形態】
【００１３】
本発明の実施形態として、前記光の特性とは、偏光または波長であるとしてもよい。
また、本発明の実施形態として、一つの前記入射面側に設けられた前記入射側制限部と、当該入射面と前記導光路を共有する前記出射面側に設けられた前記出射側制限部とは、通過させる光の偏光（または波長）を共通の偏光（または波長）に制限する偏光フィルタ（または波長フィルタ）であるとしてもよい。
また、本発明の実施形態として、前記入射面毎の入射側制限部は、前記入射面毎に設けられた前記光源であって互いに偏光状態（または波長）が異なる光を発する複数の光源を少なくとも含むとしてもよい。
【００１４】
以下、図面を参照しながら本発明の実施形態を更に説明する。
（装置の概略）
図１は、発光装置１０を含む電子機器１００の一部を斜視図により例示している。電子機器１００には、筐体表面にインジケータを必要とする製品であればあらゆる製品が該当し、例えば、テレビ、レコーダ、ＰＣ（パーソナルコンピュータ）、モバイル機器、その他、通信機器、ＡＶ機器、記憶装置等が該当する。発光装置１０は、電子機器１００に収容されており、その一部（出射面２３）を、電子機器１００の筐体１０１に形成された孔を介して外部に露出させている。つまり、出射面２３が、電子機器１００の外部からユーザに視認されるインジケータである。
以下に、本発明に含まれる発光装置１０の例を説明する。
【００１５】
（第１実施例）
図２は、第１実施例にかかる導光部材２０を斜視図により例示し、図３は、第１実施例にかかる発光装置１０を斜視図により例示している。発光装置１０は、導光部材２０と、光源３０とを含む。導光部材２０は、複数の導光路２１（２１ａ，２１ｂ）を一体的に形成した物であり、全体が透明な樹脂等の素材で作られている。図２，３に示した導光部材２０においては、２つの導光路２１ａ，２１ｂが連結部２６によって連結されている。上述したような素材で複数の導光路２１を一体成型することで、複数の導光路２１を製造するコストを抑えることができる。
【００１６】
光源３０（３０ａ，３０ｂ）は、例えばＬＥＤ（Light Emitting Diode）等の発光素子であり、導光路２１の数に応じて設けられている。図３の例では、導光路２１ａに対応して光源３０ａが設けられ、導光路２１ｂに対応して光源３０ｂが設けられている。導光路２１は両端に、光源３０が発する光を入射する入射面２２（２２ａ，２２ｂ）と、入射面２２に入射した光を出射する出射面２３（２３ａ，２３ｂ）とを有する。図２，３の例では、導光路２１ａは、光源３０ａが発する光を入射する入射面２２ａと、入射面２２ａに入射した光を出射する出射面２３ａとを有し、導光路２１ｂは、光源３０ｂが発する光を入射する入射面２２ｂと、入射面２２ｂに入射した光を出射する出射面２３ｂとを有する。
【００１７】
図３に示すように、導光路２１ａに注目すると、入射面２２ａに偏光フィルタ２４ａが設けられ、出射面２３ａに偏光フィルタ２５ａが設けられている。また、導光路２１ｂに注目すると、入射面２２ｂに偏光フィルタ２４ｂが設けられ、出射面２３ｂに偏光フィルタ２５ｂが設けられている。このような偏光フィルタはいずれも、対象の面に蒸着された偏光膜や、対象の面に装着された偏光子であり、直線偏光成分を通過させる。
【００１８】
偏光フィルタ２４ａ，２４ｂは、導光路２１毎の入射面２２側に設けられ、入射面２２に入射させる光の特性を入射面２２毎に異なる特性に制限する「入射側制限部」の一例である。偏光フィルタ２５ａ，２５ｂは、導光路２１毎の出射面２３側に設けられ、出射面２３から出射させる光の特性を、導光路２１を共有する入射面２２に入射する光の特性に制限する「出射側制限部」の一例である。
【００１９】
具体的には、導光路２１ａの入射面２２ａ側に設けられた偏光フィルタ２４ａと、同じ導光路２１ａの出射面２３ａ側に設けられた偏光フィルタ２５ａとは、通過させる光の偏光を共通の偏光に制限する。また、導光路２１ｂの入射面２２ｂ側に設けられた偏光フィルタ２４ｂと、同じ導光路２１ｂの出射面２３ｂ側に設けられた偏光フィルタ２５ｂとは、通過させる光の偏光を共通の偏光に制限する。このとき、偏光フィルタ２４ａ，２５ａのペアが通過させる偏光の向き（第１方向）と、偏光フィルタ２４ｂ，２５ｂのペアが通過させる偏光の向き（第２方向）は、例えば９０度程度異なる。
【００２０】
このような第１実施例によれば、偏光フィルタ２４ａによって、光源３０ａが発した光のうち特定の方向（前記第１方向）に偏光した光だけが入射面２２ａへ入射し、入射面２２ａへ入射した光は、導光路２１ａに導かれて出射面２３ａから出射する（偏光フィルタ２５ａを通過する）。このとき、入射面２２ａへ入射した光の一部は連結部２６を通って導光路２１ｂ側へも導かれるが、出射面２３ｂに設けられた偏光フィルタ２５ｂを通過することができない。また、偏光フィルタ２４ｂによって、光源３０ｂが発した光のうち特定の方向（前記第１方向に略直交する前記第２方向）に偏光した光だけが入射面２２ｂへ入射し、入射面２２ｂへ入射した光は、導光路２１ｂに導かれて出射面２３ｂから出射する（偏光フィルタ２５ｂを通過する）。このとき、入射面２２ｂへ入射した光の一部は連結部２６を通って導光路２１ａ側へも導かれるが、出射面２３ａに設けられた偏光フィルタ２５ａを通過することができない。従って、出射面２３ａから出射される光（出射面２３ａを光らせるための光源３０ａの光）が出射面２３ｂから漏れること、および、出射面２３ｂから出射される光（出射面２３ｂを光らせるための光源３０ｂの光）が出射面２３ａから漏れることが、いずれも確実に防止され、発光装置１０の品質が向上する。
【００２１】
（第２実施例）
図４は、第２実施例にかかる発光装置１０を斜視図により例示している。第２実施例においては、第１実施例と異なる構成について説明する。
第２実施例では、発光装置１０は、入射面２２（２２ａ，２２ｂ）毎に設けられた光源３０（３０ｃ，３０ｄ）を有する。これら光源３０ｃ，３０ｄは、互いに偏光状態が異なる光を発する複数の光源の例である。第２実施例では、第１実施例のような入射面２２（２２ａ，２２ｂ）側の偏光フィルタ２４ａ，２４ｂは、有っても無くてもよい。この意味で、第２実施例では、光源３０（３０ｃ，３０ｄ）も、導光路２１毎の入射面２２側に設けられ入射面２２に入射させる光の特性を入射面２２毎に異なる特性に制限する「入射側制限部」の概念に含まれる。なお図４では、偏光フィルタ２４ａ，２４ｂが設けられていない場合を図示している。
【００２２】
具体的には、導光路２１ａの入射面２２ａ側に設けられた光源３０ｃは、同じ導光路２１ａの出射面２３ａ側に設けられた偏光フィルタ２５ａが通過させる光の偏光と共通の向きに偏光した光のみを入射面２２ａへ発する。また、導光路２１ｂの入射面２２ｂ側に設けられた光源３０ｄは、同じ導光路２１ｂの出射面２３ｂ側に設けられた偏光フィルタ２５ｂが通過させる光の偏光と共通の向きに偏光した光のみを入射面２２ｂへ発する。
【００２３】
このような第２実施例によれば、光源３０ｃからは前記第１方向に偏光した光だけが入射面２２ａへ入射し、入射面２２ａへ入射した光は、導光路２１ａに導かれて出射面２３ａから出射する（偏光フィルタ２５ａを通過する）。このとき、入射面２２ａへ入射した光の一部は連結部２６を通って導光路２１ｂ側へも導かれるが、出射面２３ｂに設けられた偏光フィルタ２５ｂを通過することができない。また、光源３０ｄからは前記第２方向に偏光した光だけが入射面２２ｂへ入射し、入射面２２ｂへ入射した光は、導光路２１ｂに導かれて出射面２３ｂから出射する（偏光フィルタ２５ｂを通過する）。このとき、入射面２２ｂへ入射した光の一部は連結部２６を通って導光路２１ａ側へも導かれるが、出射面２３ａに設けられた偏光フィルタ２５ａを通過することができない。従って、出射面２３ａから出射される光（出射面２３ａを光らせるための光源３０ｃの光）が出射面２３ｂから漏れること、および、出射面２３ｂから出射される光（出射面２３ｂを光らせるための光源３０ｄの光）が出射面２３ａから漏れることが、いずれも確実に防止される。また、第１実施例と比較したとき、第２実施例によれば、入射面２２（２２ａ，２２ｂ）側の偏光フィルタ２４ａ，２４ｂを省略することでコストを低減することができる。
【００２４】
（第３実施例）
図５は、第３実施例にかかる発光装置１０を斜視図により例示している。第３実施例においては、第１・第２実施例と異なる構成について説明する。第３実施例では、導光部材２０の形状が第１・第２実施例と異なる。具体的には、導光部材２０は、光源３０が発する光を入射する入射面２２を共有しつつ光を出射するための出射面２３（２３ａ，２３ｂ）を夫々有する複数の導光路２１（２１ａ，２１ｂ）を、一体的に形成している。第３実施例（および後述の第６実施例）でも、透明な樹脂等の素材で複数の導光路２１を一体成型することで、複数の導光路２１を製造するコストを抑えるようにしている。
【００２５】
第３実施例では、第１・第２実施例と異なり、光源３０の数は、入射面２２が一つであることから一つである。また、入射面２２と光源３０との間には、光源３０が発した光のうち入射面２２に入射させる光の特性を変更可能な入射光可変部３１が設けられている。具体的には、入射光可変部３１は、入射面２２に入射させる光の偏光を可変とするものであり、例えば、偏光の向きを前記第１方向と前記第２方向とのいずれかに変更する。入射光可変部３１は、例えば、印加される電圧に応じて偏光特性を可変とする液晶デバイス等である。
【００２６】
出射面２３ａ，２３ｂ毎に設けられた偏光フィルタ２５ａ，２５ｂは、対応する出射面２３ａ，２３ｂから出射させる光の特性を、入射光可変部３１が変更可能ないずれかの特性であって出射面２３ａ，２３ｂ毎に異なる特性に制限する「出射側制限部」である。具体的には、出射面２３ａに対応する偏光フィルタ２５ａは、前記第１方向に偏光した光のみ通過させ、出射面２３ｂに対応する偏光フィルタ２５ｂは、前記第２方向に偏光した光のみ通過させる。
【００２７】
このような第３実施例によれば、入射光可変部３１が通過させる偏光の向きを前記第１方向に制限した場合、光源３０が発した光のうち前記第１方向に偏光した光だけが入射面２２へ入射し、入射面２２へ入射した光は、導光路２１ａおよび導光路２１ｂへ導かれ、出射面２３ａから出射する（偏光フィルタ２５ａを通過する）。このとき、導光路２１ｂ側へ導かれた光は、出射面２３ｂに設けられた偏光フィルタ２５ｂを通過することができない。また、入射光可変部３１が通過させる偏光の向きを前記第２方向に制限した場合、光源３０が発した光のうち前記第２方向に偏光した光だけが入射面２２へ入射し、入射面２２へ入射した光は、導光路２１ａおよび導光路２１ｂへ導かれ、出射面２３ｂから出射する（偏光フィルタ２５ｂを通過する）。このとき、導光路２１ａ側へ導かれた光は、出射面２３ａに設けられた偏光フィルタ２５ａを通過することができない。従って、出射面２３ａが発光しているときに出射面２３ｂから光が漏れること、および、出射面２３ｂが発光しているときに出射面２３ａから光が漏れることが、いずれも確実に防止される。また、第１・第２実施例と比較したとき、第３実施例によれば、入射面２２が一つであるため、光源３０の数を一つとしてコストを低減することができる。なお、光源３０自体が、入射光可変部３１の機能を兼ね備え、発する光の偏光を変更可能なものであってもよい。
【００２８】
（第４実施例）
第４実施例は、概念的には、第１実施例における「偏光」という言葉を、「波長」という言葉に置き換えたものである。
図６は、第４実施例にかかる発光装置１０を斜視図により例示している。第４実施例においては、第１実施例と異なる構成について説明する。
【００２９】
図６に示すように、導光路２１ａに注目すると、入射面２２ａに波長フィルタ２７ａが設けられ、出射面２３ａに波長フィルタ２８ａが設けられている。また、導光路２１ｂに注目すると、入射面２２ｂに波長フィルタ２７ｂが設けられ、出射面２３ｂに波長フィルタ２８ｂが設けられている。このような波長フィルタ（バンドパスフィルタ）はいずれも、対象の面に蒸着あるいは装着等されており、ある特定の波長の光のみを通過させる。
【００３０】
波長フィルタ２７ａ，２７ｂは、導光路２１毎の入射面２２側に設けられ、入射面２２に入射させる光の特性を入射面２２毎に異なる特性に制限する「入射側制限部」の一例である。波長フィルタ２８ａ，２８ｂは、導光路２１毎の出射面２３側に設けられ、出射面２３から出射させる光の特性を、導光路２１を共有する入射面２２に入射する光の特性に制限する「出射側制限部」の一例である。
【００３１】
具体的には、導光路２１ａの入射面２２ａ側に設けられた波長フィルタ２７ａと、同じ導光路２１ａの出射面２３ａ側に設けられた波長フィルタ２８ａとは、通過させる光の波長を共通の波長に制限する。また、導光路２１ｂの入射面２２ｂ側に設けられた波長フィルタ２７ｂと、同じ導光路２１ｂの出射面２３ｂ側に設けられた波長フィルタ２８ｂとは、通過させる光の波長を共通の波長に制限する。このとき、波長フィルタ２７ａ，２８ａのペアが通過させる波長（第１波長）と、波長フィルタ２７ｂ，２８ｂのペアが通過させる波長（第２波長）は異なる。例えば、第１波長は、７００ｎｍ付近の一定範囲の波長（赤色に略相当する波長）であり、第２波長は、５５０ｎｍ付近の一定範囲の波長（緑色に略相当する波長）である。
【００３２】
このような第４実施例によれば、波長フィルタ２７ａによって、光源３０ａが発した光のうち特定の波長（前記第１波長）の光だけが入射面２２ａへ入射し、入射面２２ａへ入射した光は、導光路２１ａに導かれて出射面２３ａから出射する（波長フィルタ２８ａを通過する）。このとき、入射面２２ａへ入射した光の一部は連結部２６を通って導光路２１ｂ側へも導かれるが、出射面２３ｂに設けられた波長フィルタ２８ｂを通過することができない。また、波長フィルタ２７ｂによって、光源３０ｂが発した光のうち特定の波長（前記第２波長）の光だけが入射面２２ｂへ入射し、入射面２２ｂへ入射した光は、導光路２１ｂに導かれて出射面２３ｂから出射する（波長フィルタ２８ｂを通過する）。このとき、入射面２２ｂへ入射した光の一部は連結部２６を通って導光路２１ａ側へも導かれるが、出射面２３ａに設けられた波長フィルタ２８ａを通過することができない。従って、出射面２３ａから出射される光の色が出射面２３ｂから漏れること、および、出射面２３ｂから出射される光の色が出射面２３ａから漏れることが、いずれも確実に防止され、発光装置１０の品質が向上する。
【００３３】
（第５実施例）
第５実施例は、第１実施例に対して第２実施例が差異点を有するのと同様に、第４実施例に対して差異点を有するものである。また、第５実施例は、概念的には、第２実施例における「偏光」という言葉を、「波長」という言葉に置き換えたものである。
図７は、第５実施例にかかる発光装置１０を斜視図により例示している。第５実施例においては、第４実施例と異なる構成について説明する。
第５実施例では、発光装置１０は、入射面２２（２２ａ，２２ｂ）毎に設けられた光源３０（３０ｅ，３０ｆ）を有する。これら光源３０ｅ，３０ｆは、互いに波長が異なる光を発する複数の光源の例である。第５実施例では、第４実施例のような入射面２２（２２ａ，２２ｂ）側の波長フィルタ２７ａ，２７ｂは、有っても無くてもよい。この意味で、第５実施例では、光源３０（３０ｅ，３０ｆ）も、導光路２１毎の入射面２２側に設けられ入射面２２に入射させる光の特性を入射面２２毎に異なる特性に制限する「入射側制限部」の概念に含まれる。なお図７では、波長フィルタ２７ａ，２７ｂが設けられていない場合を図示している。
【００３４】
具体的には、導光路２１ａの入射面２２ａ側に設けられた光源３０ｅは、同じ導光路２１ａの出射面２３ａ側に設けられた波長フィルタ２８ａが通過させる光の波長と共通の波長の光のみを入射面２２ａへ発する。また、導光路２１ｂの入射面２２ｂ側に設けられた光源３０ｆは、同じ導光路２１ｂの出射面２３ｂ側に設けられた波長フィルタ２８ｂが通過させる光の波長と共通の波長の光のみを入射面２２ｂへ発する。
【００３５】
このような第５実施例によれば、光源３０ｅからは前記第１波長の光だけが入射面２２ａへ入射し、入射面２２ａへ入射した光は、導光路２１ａに導かれて出射面２３ａから出射する（波長フィルタ２８ａを通過する）。このとき、入射面２２ａへ入射した光の一部は連結部２６を通って導光路２１ｂ側へも導かれるが、出射面２３ｂに設けられた波長フィルタ２８ｂを通過することができない。また、光源３０ｆからは前記第２波長の光だけが入射面２２ｂへ入射し、入射面２２ｂへ入射した光は、導光路２１ｂに導かれて出射面２３ｂから出射する（波長フィルタ２８ｂを通過する）。このとき、入射面２２ｂへ入射した光の一部は連結部２６を通って導光路２１ａ側へも導かれるが、出射面２３ａに設けられた波長フィルタ２８ａを通過することができない。従って、出射面２３ａから出射される光の色（光源３０ｅの発光色）が出射面２３ｂから漏れること、および、出射面２３ｂから出射される光の色（光源３０ｆの発光色）が出射面２３ａから漏れることが、いずれも確実に防止される。また、第４実施例と比較したとき、第５実施例によれば、入射面２２（２２ａ，２２ｂ）側の波長フィルタ２７ａ，２７ｂを省略することでコストを低減することができる。
【００３６】
（第６実施例）
第６実施例は、第１・第２実施例に対して第３実施例が差異点を有するのと同様に、第４・第５実施例に対して差異点を有するものである。また  第６実施例は、概念的には、第３実施例における「偏光」という言葉を、「波長」という言葉に置き換えたものである。
図８は、第６実施例にかかる発光装置１０を斜視図により例示している。第６実施例においては、第４・第５実施例と異なる構成について説明する。第６実施例では、導光部材２０の形状は、第３実施例（図５）と同じである。光源３０の数は、入射面２２が一つであることから第３実施例と同じく一つである。
【００３７】
また、入射面２２と光源３０との間には、光源３０が発した光のうち入射面２２に入射させる光の特性を変更可能な入射光可変部３２が設けられている。具体的には、入射光可変部３２は、入射面２２に入射させる光の波長を可視光の帯域内で可変とする波長可変光フィルタである。入射光可変部３２は、例えば、印加される電圧に応じて、通過させる波長を前記第１波長と前記第２波長とのいずれかに変更可能である。
【００３８】
出射面２３ａ，２３ｂ毎に設けられた波長フィルタ２８ａ，２８ｂは、対応する出射面２３ａ，２３ｂから出射させる光の特性を、入射光可変部３２が変更可能ないずれかの特性であって出射面２３ａ，２３ｂ毎に異なる特性に制限する「出射側制限部」である。具体的には、出射面２３ａに対応する波長フィルタ２８ａは、前記第１波長の光のみ通過させ、出射面２３ｂに対応する波長フィルタ２８ｂは、前記第２波長の光のみ通過させる。
【００３９】
このような第６実施例によれば、入射光可変部３２が通過させる波長を前記第１波長に制限した場合、光源３０が発した光のうち前記第１波長の光だけが入射面２２へ入射し、入射面２２へ入射した光は、導光路２１ａおよび導光路２１ｂへ導かれ、出射面２３ａから出射する（波長フィルタ２８ａを通過する）。このとき、導光路２１ｂ側へ導かれた光は、出射面２３ｂに設けられた波長フィルタ２８ｂを通過することができない。また、入射光可変部３２が通過させる波長を前記第２波長に制限した場合、光源３０が発した光のうち前記第２波長の光だけが入射面２２へ入射し、入射面２２へ入射した光は、導光路２１ａおよび導光路２１ｂへ導かれ、出射面２３ｂから出射する（波長フィルタ２８ｂを通過する）。このとき、導光路２１ａ側へ導かれた光は、出射面２３ａに設けられた波長フィルタ２８ａを通過することができない。従って、出射面２３ａが発光しているときに出射面２３ａの光の色が出射面２３ｂから漏れること、および、出射面２３ｂが発光しているときに出射面２３ｂの光の色が出射面２３ａから漏れることが、いずれも確実に防止される。また、第４・第５実施例と比較したとき、第６実施例によれば、入射面２２が一つであるため、光源３０の数を一つとしてコストを低減することができる。なお、光源３０自体が、入射光可変部３２の機能を兼ね備え、発する光の波長を変更可能なものであってもよい。
【００４０】
（その他）
光源３０の点灯／消灯や、入射光可変部３１，３２が通過させる光の偏光や波長の変更は、電子機器１００が備える図示しないＩＣ等の制御回路によって制御される。
【００４１】
また、ユーザが視認するインジケータの数、つまり導光部材２０が備える出射面２３の数は、３つ以上であってもよい。この場合、導光部材２０は、出射面２３をそれぞれ有する３本以上の導光路２１を一体的に形成したものであり、第１・第２・第４・第５実施例であれば、導光路２１それそれが入射面２２を有し、第３・第６実施例であれば、各導光路２１が一つの入射面２２を共有する。また、第１・第２・第３実施例においては、複数の出射面２３毎に対応させる偏光は、例えば、１８０度を出射面２３の数（導光路２１の数）で等分して得られる角度差を互いに有し、第４・第５・第６実施例においては、複数の出射面２３毎に対応させる波長は、互いに異なる色の波長とする。
【００４２】
さらに、
・上記各実施例の中で開示した相互に置換可能な部材および構成等を適宜その組み合わせを変更して適用すること、
・上記各実施例の中で開示されていないが、公知技術であって上記各実施例の中で開示した部材および構成等と相互に置換可能な部材および構成等を適宜置換し、またその組み合わせを変更して適用すること、
・上記各実施例の中で開示されていないが、公知技術等に基づいて当業者が上記各実施例の中で開示した部材および構成等の代用として想定し得る部材および構成等と適宜置換し、またその組み合わせを変更して適用すること、
は本発明の一実施例として開示されるものである。
【符号の説明】
【００４３】
１０…発光装置、２０…導光部材、２１，２１ａ，２１ｂ…導光路、２２，２２ａ，２２ｂ…入射面、２３，２３ａ，２３ｂ…出射面、２４ａ，２４ｂ，２５ａ，２５ｂ…偏光フィルタ、２６…連結部、２７ａ，２７ｂ，２８ａ，２８ｂ…波長フィルタ、３０，３０ａ，３０ｂ，３０ｃ，３０ｄ，３０ｅ，３０ｆ…光源、３１，３２…入射光可変部、１００…電子機器
【図１】
2015225769.tif 000003
【図２】
2015225769.tif 000004
【図３】
2015225769.tif 000005
【図４】
2015225769.tif 000006
【図５】
2015225769.tif 000007
【図６】
2015225769.tif 000008
【図７】
2015225769.tif 000009
【図８】
2015225769.tif 000010